(57)【要約】      （修正有）【課題】膝枕姿勢での仕上げ磨きのときに、頭部が滑らないように保持する仕上げ磨き用の頭部保持具を提供する。【解決手段】膝上で使用する頭部保持具１００であって、頭部の滑りを防止する突起物からなる滑り防止部を備える。【選択図】図１
0003225625.tif 000002
【実用新案登録請求の範囲】
【請求項１】
膝上で使用する頭部保持具であって、
頭部の滑りを防止する滑り防止部を備えることを特徴とする頭部保持具。
【請求項２】
頭部が当接する凹部を備えており、
前記滑り防止部は、前記凹部に設けられていることを特徴とする請求項１に記載の頭部保持具。
【請求項３】
首方向に突出する凸部を備え、該凸部の高さが場所によって異なることを特徴とする請求項２に記載の頭部保持具。
【考案の詳細な説明】
【技術分野】
【０００１】
本考案は、膝上で使用する頭部保持具に関する。より詳しくは、歯磨きや耳かきなどの膝枕姿勢の膝上にある頭部を保持する頭部保持具に関する。
【背景技術】
【０００２】
歯は６ヶ月頃から生え始め、すぐ歯磨きを始める。乳児は自分自身での歯磨き（自分磨き）ができないので、保護者（介護者）が乳児の歯磨きを行うことになる。また、自分磨きができるような幼児であっても、自分磨きをした後に保護者が仕上げの歯磨き（仕上げ磨き）を行うこともある。このように、保護者によって乳幼児の歯磨きが行われることがある。
【０００３】
特許文献１に記されているように、乳幼児への歯磨きは、保護者の膝枕姿勢（特許文献１の図５参照）で行われる。また、非特許文献１に記されているように、仕上げ磨きの際の膝枕姿勢には大きく分けて正面法と横寝かせ法がある。正面法は同じ向きで全部の歯を磨くことができるという長所があり、横寝かせ法は乳歯の奥が見易いことや歯の裏側を磨き易いという長所がある。
【先行技術文献】
【特許文献】
【０００４】
【特許文献１】特許第５０４８３６０号公報
【特許文献２】実開平６−５０５６９号公報
【特許文献３】特許４３９９８０８号公報
【特許文献４】特開２００５−８１０３９号公報
【特許文献５】実用新案登録第３２１８４２４号公報
【非特許文献】
【０００５】
【非特許文献１】「ＧＡＮＢＡクラブ」ふなびきしか小児歯科のページ、［online］、仕上げ磨きの仕方、［令和元年１１月１日検索］、インターネット〈http://fkdc.net/ganba-club/A6_1.htm〉
【非特許文献２】MARNA INC、［online］、ONLINE SHOP、［令和元年１１月１日検索］、インターネット〈https://shop.marna-inc.co.jp/shopbrand/f〉
【考案の概要】
【考案が解決しようとする課題】
【０００６】
しかしながら、これらの膝枕姿勢での歯磨きは、頭部が膝の前方側にずれ易いという問題がある。また、横寝かせ法は正面法よりも頭部が膝の前方側にずれ易い。また、乳幼児によっては、仕上げ磨きに非常に大きな恐怖心を抱いたり、嫌がったり、虫歯で痛がったりすることがあり、恐怖等によって頭部が動いて膝の前方側に滑ることがある。
そして、乳幼児の頭部が思わぬ時に動くと、歯ブラシが喉の奥に入ったりする等、非常に危険である。
【０００７】
そこで、膝枕姿勢での歯磨きのときに、頭部が滑らないように保持する頭部保持具の必要性が考えらえる。また、乳幼児によっては仕上げ磨きに恐怖心を抱いたり、嫌がったりするので、このような乳幼児の興味を引き付けたり、喜ばせたり、楽しませたりして、歯磨き磨きを嫌がらないようにできないか、という要請が考えらえる。また、歯磨きの際に、見えにくい箇所を見易くするために乳幼児の頭部の傾斜を簡単に変更できないか、という要請が考えらえる。
【０００８】
ところが、従来の頭部保持具には「乳幼児に使う歯磨き用の頭部保持具」というようなものは無く、さらに歯磨き用に限定しない「膝上用の頭部保持具」さえも無い。
【０００９】
例えば、非特許文献２のクッションに、膝に乳児を乗せるものが記されている。しかしながら、このクッションは、頭だけでなくて全身体を乗せるものである。また、特許文献２の乳児用枕に、底面に摩擦部を備える寝具の枕が記されているが、この枕は布団の上で使用するもので、膝上の頭部の滑りを防止するという必要性がない。
【００１０】
また、特許文献３〜５に頭部が位置する凹部を形成する周囲に頸椎部を支える凸部があるが、頸椎部を支えるための凸部の高さは１種類のみであり、頭部の傾斜を簡単に変えるという要請を満たすものではない。なお、歯磨きの際の頭部保持具では、安全性のために頭部の保持が必要なのに対して、寝具用枕は心地よさや肌触りが重要となり、歯磨き用と寝具用では、頭部の保持において本質的な要求が全く異なる。
【００１１】
本考案は、膝枕姿勢での歯磨きのときに、頭部が滑らないように保持できる膝上で使用する頭部保持具を提供することを目的とする。また、乳幼児が歯磨きに恐怖心を抱いたり、嫌がったりするのを低減させ、また、頭部の傾斜を簡単に変更することができる膝上で使用する頭部保持具を提供することを目的とする。
【課題を解決するための手段】
【００１２】
上記課題を解決するため、本考案の頭部保持具は、膝上で使用する頭部保持具であって、頭部の滑りを防止する滑り防止部を備えることを特徴とする。
【００１３】
これにより、例えば、母親の膝上に幼児の頭部を載せて行う歯磨きの際に、膝で持ち上げられた頭部が保持具から滑るのを防止することができる。なお、膝上で使用する頭部保持具は、歯磨きの際だけでなく、例えば、耳掻きの際にも使用することができる。
【００１４】
また、本考案の頭部保持具は、頭部が当接する凹部を備えており、前記滑り防止部は、前記凹部に設けられていることを特徴とする。これにより、膝で持ち上げられた頭部が凹部に当接するとともに、滑り防止部によって滑り難くなるので、頭部保持具からの滑りをより一層防止することができる。
【００１５】
また、本考案の頭部保持具は、首方向に突出する凸部を備え、該凸部の高さが場所によって異なることを特徴とする。これにより、首方向に突出する凸部が首に掛かって滑り止めとなる。また、この凸部の高さが多種あるので、状況に応じて頭部の傾斜を変更することができる。
【００１６】
なお、本考案の頭部保持具は、幼児向け動物や幼児向けキャラクターの形を呈することが好ましい。これにより、歯磨きに恐怖心を抱いたり、嫌がったりする乳幼児に対して興味を引き付けたり、喜ばせたり、楽しませたりすることができる。
【図面の簡単な説明】
【００１７】
【図１】Ａは本考案の実施形態に係る頭部保持具の要部の構成を示す表の撮像であり、ＢはＡの裏の撮像である。
【図２】図１ＡのＩＩ−ＩＩ断面図である。
【図３】Ａは本考案の頭部保持具の第１使用例の撮像であり、Ｂは第１使用例の断面図である。
【図４】Ａは第２使用例の断面図であり、Ｂは第３使用例の断面図である。
【図５】図１Ａに付属品を取り付けた撮像である。
【考案を実施するための形態】
【００１８】
以下、実施形態及び図面を参照にして本考案を実施するための形態を説明するが、以下に示す実施形態は、本考案をここに記載したものに限定することを意図するものではなく、本考案は考案請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００１９】
［実施形態］
図面を用いて本実施形態の膝上で使用する頭部保持具１００の要部の構成を説明する。図１Ａは頭部保持具１００の表の撮像であり、図１Ｂは裏の底面図である。図２は図１ＡのＩＩ−ＩＩ断面図である。
【００２０】
頭部保持具１００は、膝上で使用する頭部保持具であって、頭部の滑りを防止する滑り防止部を備える。この頭部保持具１００は、楕円形のクッション状のものである。より具体的には、頭部保持具１００は、表地１、裏滑り防止部２１が付いた裏地２、詰め物３、頭部の滑りを防止する表滑り防止部４、左右一対の目５、舌６、頭の毛７、手８、とからなる。
【００２１】
表地１は、ぬいぐるみ用の起毛の生地（例えば、ふわふわした手触りのボア）であり、顔を模した略楕円形となっている。裏地２は、裏滑り防止部２１が付いた状態の生地であり、顔を模した略楕円形となっている。この裏滑り防止部２１は、球体をカットした形状の弾性体が整列して生地に固着されている。
【００２２】
詰め物３は、ポリエステルや木綿である。なお、重量を増加させたいときは手芸用ペレットを混入させてもよいし、他の材料としては低発泡ウレタンフォーム、羽根、ウールなどを用いることもできる。
【００２３】
表滑り防止部４は、頭部の滑りを防止するためのものであり、表地１とは別体の滑り止めである。表滑り防止部４は、図１Ａの拡大図にあるように、弾性体の突起物であり、膨らんだ弾性体であるゴム製の突起物が繋がって形成されたものである。なお、本実施形態では、表滑り防止部４は、表地１とは別体であるが、表地に直接固着させておいても構わない。また、表滑り防止部４は、弾性体の突起物に限定されるわけではなく、頭部の滑りを防止できる他の方法を採用することもできる。しかしながら、本考案者の考察によると、頭部が動きやすい理由は、頭部の髪の毛による影響が大きかったので、表滑り防止部４の構成は、髪の毛が引っ掛かりやすいような突起物がより好ましい。
【００２４】
円形の目５、半円形の舌６は手触りいいカラーフェルトであり、頭の毛７は毛糸である。手８はぬいぐるみ用の起毛の生地と綿の詰め物で制作されたものである。
【００２５】
また、頭部保持具１００は、頭部と接する円形の表滑り防止部４を最上にして、その下に表地１、さらにその下に裏地２と重畳した状態となっており、表滑り防止部４の縁が表地１を巻き込んで裏地２と一緒に円を描いて縫われている（図１Ａ、図２のステッチＳ１参照）。
【００２６】
また、半円形の舌６が表滑り防止部４に重ねられて、その直線部分が縫われている（図１Ａ、図２のステッチＳ２参照）。そして、頭部保持具１００は、詰め物３を詰め込んだ状態で表地１と裏地２の外周が縫い合わされる（図２のステッチＳ３参照）。その他、髪の毛７や手８は表地１と裏地２の間に縫い付けられている。また、左右一対の目５が表地１に縫い付けられる。
【００２７】
このような頭部保持具１００は、外形が略楕円形で、図２に示すように、中央に舌６を出した口を模す凹部ａを有し、凹部ａの底部には表滑り防止部４を備えている。頭部保持具１００は、基本的にはこの凹部ａに頭部を当接させて使用する。また、頭部保持具１００は、幼児向け動物や幼児向けキャラクターの顔を呈している。また、頭部保持具１００は、底部である裏地２の全面に裏滑り防止部２１を備えている。
【００２８】
また、図２に示すように、顔の顎を模した第１凸部ｂの高さ（凹部ａの底面からの高さ）Ｈ１は、顔の額を模した第２凸部ｃの高さ（凹部ａの底面からの高さ）Ｈ２よりも低くなっている。このように、第１凸部ｂ、第２凸部ｃは、乳幼児の首方向に突出し、互いに異なる高さとなっている。そして、この高さＨ２は、額を模す第２凸部ｃにおける頭部保持具１００の最底部からの高さＨ３よりも低くなっている。
【００２９】
［第１使用例］
次に、図３Ａ、図３Ｂを用いて本実施形態の頭部保持具１００の第１使用例を説明する。図３Ａは第１使用例を示す撮像であり、図３Ｂは第１使用例を示す断面図である。母親Ｍが正座の膝枕状態で、膝Ｐの上に頭部保持具１００を載せる。そして、頭部保持具１００の凹部ａに幼児Ｂの頭部Ｂ１を置き、第１凸部ｂに幼児Ｂの首Ｂ２が当たるようにした状態で、母親Ｍは幼児Ｂの歯磨きを行う。
【００３０】
この時、頭部保持具１００の裏滑り防止部２１が膝Ｐ部の母親Ｍの衣服と当接することになる。このため、頭部保持具１００は、摩擦によって母親Ｍの膝Ｐから滑り難くなっている。また、頭部保持具１００の第１凸部ｂが幼児Ｂの首Ｂ２に掛かって、幼児Ｂの頭部Ｂ１が滑り難くなっている。さらに、頭部保持具１００の凹部ａの底面は、表滑り防止部４が幼児Ｂの頭部Ｂ１と当接するため、摩擦により頭部Ｂ１が滑り難くなっている。このようにして、本実施形態の頭部保持具１００は、幼児Ｂの頭部Ｂ１が母親Ｍの膝Ｐから滑り難くなっており、歯磨きを安全に行うことができる。
【００３１】
また、本実施形態の頭部保持具１００は、図１Ａに示すように、幼児向け動物や幼児向けキャラクターの顔を呈している。従って、歯磨きに恐怖心を抱いたり嫌がったりするような幼児Ｂに対して、頭部保持具１００は、興味を引き付けたり、喜ばせたり、楽しませたりすることができる。また、頭部保持具１００は、手８が付いているので、歯磨き中に手８を握ったり、遊んだりすることで、歯磨きの際の幼児Ｂの気を逸らすことができる。
【００３２】
［第２使用例］
次に、図４Ａを用いて第２使用例を説明する。図４Ａに示すように、頭部保持具１００の向きを第１使用例から前後逆にして、第２凸部ｃが幼児Ｂの首Ｂ２に掛かるようにする。第２凸部ｃは第１凸部ｂよりもＨ２−Ｈ１だけ高いために、頭部Ｂ１を後方により傾けることができる。これにより、母親Ｍは幼児Ｂの奥歯を見易くなるので、奥歯の歯磨きが容易になる。また、第２凸部ｃの首Ｂ２への掛かりが第１凸部ｂよりも大きくなるので、幼児Ｂの頭部がより滑り難くなる。
【００３３】
［第３使用例］
次に、図４Ｂを用いて第３使用例を説明する。図４Ｂに示すように、頭部保持具１００を第１使用例のような状態から幼児Ｂの頭部Ｂ１を更に移動させ、頭部Ｂ１が頭部保持具１００からはみ出るようにして、第２凸部ｃが幼児Ｂの首Ｂ２に掛かかるようにする。このような使用方法でも、第２凸部ｃの高さＨ３は第１凸部ｂの高さＨ１よりも大きいために、頭部保持具１００は、頭部Ｂ１を後方により傾けることができる。また、頭部保持具１００は、第２凸部ｃの首Ｂ２への掛かりが第１凸部ｂよりも大きくなって幼児Ｂの頭部Ｂ１がより滑り難くなる。
【００３４】
なお、上述の頭部保持具１００の使用は幼児Ｂとして使用例であったが、幼児Ｂに限定するものではない。たとえば、小学校低学年への仕上げ磨きにも使用することができる。また、上述の母親Ｍはあぐらや正座であったが、あぐらと正座に限定するものではなく、割座（ペタン座り）などでもよく、頭部保持具１００は様々な姿勢の膝上で使用することができる。
【００３５】
また、本実施形態の表滑り防止部４は一部を舌６で覆っている構成となっているため、舌６にも滑り防止部を設けてもよい。さらに、第１凸部ｂや第２凸部ｃの表面にも滑り防止部を設けてもよい。
【００３６】
また、本実施形態は、膝枕状態での歯磨きに用いる頭部保持具１００であったが、歯磨きに限定されるものではなく、例えば、膝枕状態での耳掻き等にも使用することができる。
【００３７】
また、本実施形態の頭部保持具１００は、凹部ａや第１凸部ｂ、第２凸部ｃを備えた物であったが、膝上で使用する本考案の頭部保持具は、生地の表面に頭部の滑りを防止する表滑り防止部４を備えただけのものでも構わない。また、頭部保持具１００は、本実施形態のような楕円形に限定されるものではなく、円形状、矩形状、三角形状等でも構わない。また、頭部保持具１００の形状は、動物やキャラクターの形状にあわせて作ることもできる。
【００３８】
［付属品］
図５を用いて頭部保持具１００の付属品について説明する。頭部保持具１００には鏡９１を有する付属品の鏡部９が手８の先端に付属されている。具体的には、手８の先端と、鏡部９の背面に着脱部材（例えば、フック材。図示せず。）を設けておくことで、鏡部９は手８に着脱可能となっている。そして、この鏡部９を用いて、仕上げ磨きのときに磨き方の指導や、磨き残りの確認ができる。また、付属品としては、鏡部９だけでなく、幼児Ｂの気を引きつけるような人形や玩具でも構わない。また、頭部保持具１００を構成する手８は、取付位置について実施形態に限定されるわけではなく、また、手という名称に限定されるわけではない。例えば、頭部保持具１００の裏側に取付けて、しっぽのような名称としても構わない。
【符号の説明】
【００３９】
１００：頭部保持具
ａ：凹部
ｂ：第１凸部
ｃ：第２凸部
４：表滑り防止部
【図１】
0003225625.tif 000003
【図２】
0003225625.tif 000004
【図３】
0003225625.tif 000005
【図４】
0003225625.tif 000006
【図５】
0003225625.tif 000007
【手続補正書】
【提出日】令和2年1月16日(2020.1.16)
【手続補正１】
【補正対象書類名】実用新案登録請求の範囲
【補正対象項目名】全文
【補正方法】変更
【補正の内容】
【実用新案登録請求の範囲】
【請求項１】
膝上で使用する頭部保持具であって、
頭部の滑りを防止する突起物からなる滑り防止部を備えることを特徴とする頭部保持具。
【請求項２】
頭部が当接する凹部を備えており、
前記滑り防止部は、前記凹部に設けられていることを特徴とする請求項１に記載の頭部保持具。
【請求項３】
首方向に突出する凸部を備え、該凸部の高さが場所によって異なることを特徴とする請求項２に記載の頭部保持具。
【手続補正２】
【補正対象書類名】明細書
【補正対象項目名】００１２
【補正方法】変更
【補正の内容】
【００１２】
上記課題を解決するため、本考案の頭部保持具は、膝上で使用する頭部保持具であって、頭部の滑りを防止する突起物からなる滑り防止部を備えることを特徴とする。